(57)【要約】【課題】記憶媒体に対する効果的なデータ消去を簡易に行える電子機器の技術を提供する。【解決手段】撮像装置(電子機器)では、データ領域とデータ領域内のデータに関しての管理情報を記憶する管理領域とを有したメモリカードに対して、データ領域内の全データを消去する実データ消去処理および、そのデータ消去に関する管理情報の書換え処理を行う物理フォーマットと、実データ消去処理を行わずに管理情報の書換え処理を行う論理フォーマットとの実行が可能である。そして、ユーザによるフォーマット指示があれば、物理フォーマットを開始するとともに、その完了前にフォーマット指示からの経過時間が制限時間を超えた場合には、物理フォーマットを中止して論理フォーマットを実行させる（ＳＴ１〜３、ＳＴ６〜７）。その結果、メモリカード(記憶媒体)に対する効果的なフォーマット(データ消去)を簡易に行える。【選択図】図８
2011086228.tif 000002
【特許請求の範囲】
【請求項１】
データ領域と前記データ領域内のデータに関しての管理情報を記憶する管理領域とを有した記憶媒体に対するデータ消去の指示を検知する検知手段と、
前記データ消去の処理として、前記データ領域における所定領域内のデータを消去する実データ消去処理と、前記所定領域内のデータの消去に関する前記管理情報の書換え処理とを行う第１データ消去処理を実行する第１処理手段と、
前記データ消去の処理として、前記実データ消去処理を行わずに前記管理情報の書換え処理を行う第２データ消去処理を実行する第２処理手段と、
前記検知手段によって前記データ消去の指示が検知された場合には、前記第１データ消去処理を開始させる第１制御手段と、
前記第１制御手段によって開始された第１データ消去処理が完了する前に、前記データ消去の指示が検知されてからの経過時間が所定時間を超えた場合には、前記第１データ消去処理を中止して前記第２データ消去処理を実行させる第２制御手段と、
を備える電子機器。
【請求項２】
所定の操作入力を検知する手段と、
前記第１制御手段によって開始された第１データ消去処理が完了する前に、前記所定の操作入力が検知された場合には、前記第１データ消去処理を中止して前記第２データ消去処理を実行させる第３制御手段と、
さらに備える請求項１記載の電子機器。
【請求項３】
前記所定時間は、前記電子機器に電力供給を行うバッテリーの残量に応じて設定される請求項１記載の電子機器。
【請求項４】
前記所定時間は、前記記憶媒体の記憶容量に応じて設定される請求項１記載の電子機器。
【請求項５】
前記データ消去の処理が完了するまでの残り時間に係る情報を、所定の表示手段に表示させる表示制御手段、
をさらに備え、
前記残り時間は、前記第２データ消去処理に必要な時間を前記所定時間に加えた時間から前記経過時間を減算して得られる時間である請求項１記載の電子機器。
【請求項６】
前記データ消去の処理が完了するまでの残り時間に係る情報を、所定の表示手段に表示させる表示制御手段、
をさらに備え、
前記残り時間は、前記第２データ消去処理に必要な時間が加味された前記所定時間から前記経過時間を減算して得られる時間である請求項１記載の電子機器。
【請求項７】
データ領域と前記データ領域内のデータに関しての管理情報を記憶する管理領域とを有した記憶媒体に対するデータ消去の指示を検知する検知工程と、
前記データ消去の処理として、前記データ領域における所定領域内のデータを消去する実データ消去処理と、前記所定領域内のデータの消去に関する前記管理情報の書換え処理とを行う第１データ消去処理を実行する第１処理工程と、
前記データ消去の処理として、前記実データ消去処理を行わずに前記管理情報の書換え処理を行う第２データ消去処理を実行する第２処理工程と、
前記検知工程において前記データ消去の指示が検知された場合には、前記第１データ消去処理を開始させる第１制御工程と、
前記第１制御工程で開始された第１データ消去処理が完了する前に、前記データ消去の指示が検知されてからの経過時間が所定時間を超えた場合には、前記第１データ消去処理を中止して前記第２データ消去処理を実行させる第２制御工程と、
を備えるデータ消去方法。
【請求項８】
電子機器に内蔵されたコンピュータに、
データ領域と前記データ領域内のデータに関しての管理情報を記憶する管理領域とを有した記憶媒体に対するデータ消去の指示を検知する検知工程と、
前記データ消去の処理として、前記データ領域における所定領域内のデータを消去する実データ消去処理と、前記所定領域内のデータの消去に関する前記管理情報の書換え処理とを行う第１データ消去処理を実行する第１処理工程と、
前記データ消去の処理として、前記実データ消去処理を行わずに前記管理情報の書換え処理を行う第２データ消去処理を実行する第２処理工程と、
前記検知工程において前記データ消去の指示が検知された場合には、前記第１データ消去処理を開始させる第１制御工程と、
前記第１制御工程で開始された第１データ消去処理が完了する前に、前記データ消去の指示が検知されてからの経過時間が所定時間を超えた場合には、前記第１データ消去処理を中止して前記第２データ消去処理を実行させる第２制御工程と、
を実行させるプログラム。
【発明の詳細な説明】
【技術分野】
【０００１】
本発明は、記憶媒体に対するデータ消去の処理が可能な電子機器の技術に関する。
【背景技術】
【０００２】
デジタルカメラ等の撮像装置(電子機器)では、着脱自在とされたメモリカード（記憶媒体）に画像データを記録するのが一般的である。ここで、メモリカードに対するデータの消去や書き込みについては、メモリ領域において一定サイズのブロック単位で実行される。例えば既にデータが書き込まれているブロックに対してデータの書換えを行う場合には、そのブロック内のデータを電気的にクリアしてから、新たなデータが書き込まれる。一方、データ消去済みのブロックでは、そのブロックに新たなデータを単に書き込むだけでよいこととなる。よって、データが既に書き込まれているブロックよりもデータ消去済みのブロックに新たなデータを書き込む方が、データ消去の処理を省ける分、高速なデータ書き込みが可能となる。
【０００３】
また、メモリカードにおいては、様々な情報機器(電子機器)での使用を可能とするように、一般にＦＡＴ(File Allocation Table)などのファイルシステムが構築されている。このため、メモリカードのメモリ領域には、実際にデータを保存するデータ領域に加えてファイルシステムのための管理領域が設けられている。このような構成のメモリカードにデジタルカメラ等で取得した画像データを保存する場合には、管理領域内の情報(管理情報)からデータ領域の空き部分(現在不使用の部分)を検索し、その空き部分を使用済みとする管理情報の書き換えを行ってデータ領域に実際の画像データを記録する。一方、メモリカードに対して画像データの削除やフォーマットを実行する場合には、データ領域内のデータ自体は消去せずにそのままの状態とし、その消去対象のデータについての管理情報の書換えだけを行うことが多い。ただし、このように処理されたメモリカードでは、デジタルカメラにおいて連写や高精細な動画像などの高速なデータ書き込みが要求される場面において、その要求に応えることが難しい。以上のことから、メモリカードのフォーマット等においては、管理領域の書換えだけではなくデータ領域内のデータ消去も併せて行うことが有効であるが、近年におけるメモリカード容量の増大に伴い、データ領域内のデータ消去に必要な時間が長くなってきており、そのデータ消去中に生じる緊急処理（例えば撮影動作など）に対応できない。
【０００４】
このような不都合を改善する技術として、例えば特許文献１に開示されるものが提案されている。この技術によれば、管理領域の書換えだけを行う簡易フォーマット（論理フォーマット）と、管理領域の書換えとともにデータ領域全域のデータ消去を行う完全フォーマット（物理フォーマット）とをユーザが選択できるようにし、完全フォーマットの実行中に生じる緊急処置に対応できるように完全フォーマットの中止操作が可能となっている。
【先行技術文献】
【特許文献】
【０００５】
【特許文献１】特開２００６−１４６５８５号公報
【発明の概要】
【発明が解決しようとする課題】
【０００６】
しかしながら、上記の特許文献１の技術では、簡易フォーマットと完全フォーマットとの違いや特徴についてユーザが理解しなければ適切な選択を行えないため、その分、ユーザの負担が増加してしまう。これでは、ユーザが所望するフォーマット処理(データ消去処理)を簡易に行うのは難しい。
【０００７】
また、上記の特許文献１の技術では、ユーザが簡易フォーマットを選択してしまうとデータ領域における実際のデータ消去が行われないため、新たなデータの書き込み速度の向上が図れず効果的でない。
【０００８】
本発明は、上記課題に鑑みてなされたものであり、記憶媒体に対する効果的なデータ消去を簡易に行える電子機器の技術を提供することを目的とする。
【課題を解決するための手段】
【０００９】
本発明の１つの側面は、電子機器であって、データ領域と前記データ領域内のデータに関しての管理情報を記憶する管理領域とを有した記憶媒体に対するデータ消去の指示を検知する検知手段と、前記データ消去の処理として、前記データ領域における所定領域内のデータを消去する実データ消去処理と、前記所定領域内のデータの消去に関する前記管理情報の書換え処理とを行う第１データ消去処理を実行する第１処理手段と、前記データ消去の処理として、前記実データ消去処理を行わずに前記管理情報の書換え処理を行う第２データ消去処理を実行する第２処理手段と、前記検知手段によって前記データ消去の指示が検知された場合には、前記第１データ消去処理を開始させる第１制御手段と、前記第１制御手段によって開始された第１データ消去処理が完了する前に、前記データ消去の指示が検知されてからの経過時間が所定時間を超えた場合には、前記第１データ消去処理を中止して前記第２データ消去処理を実行させる第２制御手段とを備える。
【発明の効果】
【００１０】
本発明によれば、データ領域とデータ領域内のデータに関しての管理情報を記憶する管理領域とを有した記憶媒体に対するデータ消去の指示が検知された場合には、データ領域における所定領域内のデータを消去する実データ消去処理と所定領域内のデータの消去に関する管理情報の書換え処理とを行う第１データ消去処理を開始させる一方、この第１データ消去処理が完了する前に、データ消去の指示が検知されてからの経過時間が所定時間を超えた場合には、第１データ消去処理を中止し、実データ消去処理を行わずに管理情報の書換え処理を行う第２データ消去処理を実行させる。その結果、記憶媒体に対する効果的なデータ消去を簡易に行える。
【図面の簡単な説明】
【００１１】
【図１】本発明の実施形態に係る撮像装置の外観構成を示す図である。
【図２】撮像装置の外観構成を示す図である。
【図３】撮像装置の縦断面図である。
【図４】ミラー部におけるミラーアップの状態を示す図である。
【図５】撮像装置の電気的な構成を示すブロック図である。
【図６】メイン制御部の構成を示すブロック図である。
【図７】メモリカードについてのファイルシステム構成を説明するための図である。
【図８】撮像装置の基本的な動作を示すフローチャートである。
【図９】フォーマット選択画面を示す図である。
【図１０】フォーマット実行確認画面を示す図である。
【図１１】フォーマット処理中画面を示す図である。
【図１２】本発明の変形例に係る物理フォーマットの制限時間を説明するための図である。
【図１３】本発明の変形例に係る物理フォーマットの制限時間を説明するための図である。
【発明を実施するための形態】
【００１２】
＜実施形態＞
［撮像装置の外観構成］
図１および図２は、本発明の実施形態に係る撮像装置１の外観構成を示す図である。ここで、図１および図２は、それぞれ正面図および背面図を示している。
【００１３】
撮像装置１は、例えば一眼レフレックスタイプのデジタルスチルカメラとして構成された電子機器であり、カメラボディ１０と、カメラボディ１０に着脱自在な撮影レンズとしての交換レンズ２とを備えている。
【００１４】
図１において、カメラボディ１０の正面側には、正面略中央に交換レンズ２が装着されるマウント部３０１と、マウント部３０１の右横に配置されたレンズ交換ボタン３０２と、把持可能とするためのグリップ部３０３とが設けられている。また、カメラボディ１０には、正面左上部に配置されたモード設定ダイアル３０５と、正面右上部に配置された制御値設定ダイアル３０６と、グリップ部３０３の上面に配置されたシャッターボタン３０７とが設けられている。
【００１５】
また、図２において、カメラボディ１０の背面側には、ＬＣＤ（Liquid Crystal Display）３１１と、ＬＣＤ３１１の左方に配置された設定ボタン群３１２と、ＬＣＤ３１１の右方に配置された十字キー３１４と、十字キー３１４の中央に配置されたプッシュボタン３１５とが備えられている。また、カメラボディ１０の背面側には、ＬＣＤ３１１の上方に配設されたファインダ窓３１６と、ファインダ窓３１６の周囲を囲むアイカップ３２１と、ファインダ窓３１６の左方に配設されたメインスイッチ３１７とが設けられている。さらに、カメラボディ１０は、その背面側にファインダ窓３１６の右方に配設された露出補正ボタン３２３およびＡＥロックボタン３２４と、ファインダ窓３１６の上方に配設されたフラッシュ部３１８および接続端子部３１９とを備えている。
【００１６】
マウント部３０１には、装着された交換レンズ２との電気的接続を行うためコネクタＥｃ(図５参照)や、機械的接続を行うためのカプラ７５(図５参照)が設けられている。
【００１７】
レンズ交換ボタン３０２は、マウント部３０１に装着された交換レンズ２を取り外す際に押下されるボタンである。
【００１８】
グリップ部３０３は、ユーザが撮影時に撮像装置１を把持する部分であり、フィッティング性を高めるために指形状に合わせた表面凹凸が設けられている。なお、グリップ部３０３の内部には電池収納室およびカード収納室(不図示)が設けられている。電池収納室にはカメラの電源として電池６９Ｂ(図５参照)が収納されており、カード収納室には撮影画像の画像データを記録するためのメモリカード６７(図５参照)が着脱可能に収納されるようになっている。なお、グリップ部３０３には、当該グリップ部３０３をユーザが把持したか否かを検出するためのグリップセンサを設けるようにしても良い。
【００１９】
モード設定ダイアル３０５及び制御値設定ダイアル３０６は、カメラボディ１０の上面と略平行な面内で回転可能な略円盤状の部材からなる。モード設定ダイアル３０５は、自動露出（ＡＥ）制御モードや自動焦点（ＡＦ；オートフォーカス）制御モード、或いは１枚の静止画を撮影する静止画撮影モードや連続撮影を行う連続撮影モード等の各種撮影モード、記録済みの画像を再生する再生モード等、撮像装置１に搭載されたモードや機能を択一的に選択するためのものである。一方、制御値設定ダイアル３０６は、撮像装置１に搭載された各種の機能に対する制御値を設定するためのものである。
【００２０】
シャッターボタン３０７は、途中まで押し込んだ「半押し状態」の操作と、さらに押し込んだ「全押し状態」の操作とが可能とされた押下スイッチである。静止画撮影モードにおいてシャッターボタン３０７が半押しされると、被写体の静止画を撮影するための準備動作（露出制御値の設定や焦点検出等の準備動作）が実行される。また、シャッターボタン３０７が全押しされると、撮影動作（撮像素子１０１(図３参照)を露光し、その露光によって得られた画像信号に所定の画像処理を施してメモリカード等に記録する一連の動作）が実行される。
【００２１】
ＬＣＤ３１１は、画像表示が可能なカラー液晶パネルを備えており、撮像素子１０１(図３参照)により被写体を撮像して取得された画像の表示や記録済みの画像の再生表示等を行うとともに、撮像装置１に搭載される機能やモードの設定画面を表示するものである。なお、ＬＣＤ３１１に代えて、有機ＥＬやプラズマ表示装置を用いるようにしても良い。
【００２２】
設定ボタン群３１２は、撮像装置１に搭載された各種の機能に対する操作を行うボタンである。この設定ボタン群３１２には、例えばＬＣＤ３１１に表示されるメニュー画面で選択された内容を確定するための選択確定スイッチ、選択取り消しスイッチ、メニュー画面の内容を切り替えるメニュー表示スイッチ、表示オン／オフスイッチ、表示拡大スイッチなどが含まれる。
【００２３】
十字キー３１４は、円周方向に一定間隔で配置された複数の押圧部（図中の三角印の部分）を備える環状の部材を有し、各押圧部に対応して備えられた図示省略の接点（スイッチ）により押圧部の押圧操作が検出されるように構成されている。また、プッシュボタン３１５は、十字キー３１４の中央に配置されている。十字キー３１４及びプッシュボタン３１５は、撮影倍率の変更（ズームレンズ２１２(図５参照)のワイド方向やテレ方向への移動）、ＬＣＤ３１１等に再生する記録画像のコマ送り、及び撮影条件（絞り値、シャッタスピード、フラッシュ発光の有無等）の設定等の指示を入力するためのものである。
【００２４】
ファインダ窓３１６は、被写体が撮影される範囲を光学的に表示するものである。すなわち、ファインダ窓３１６には、交換レンズ２からの被写体光像が導かれており、ユーザは、このファインダ窓３１６を覗くことにより、実際に撮像素子１０１にて撮像される被写体を視認することができる。
【００２５】
メインスイッチ３１７は、左右にスライドする２接点のスライドスイッチからなり、左にセットすると撮像装置１の電源がオンされ、右にセットすると電源がオフされる。
【００２６】
フラッシュ部３１８は、ポップアップ式の内蔵フラッシュとして構成されている。一方、外部フラッシュ等をカメラボディ１０に取り付ける場合には、接続端子部３１９を使用して接続する。
【００２７】
アイカップ３２１は、遮光性を有してファインダ窓３１６への外光の侵入を抑制する「コ」字状の遮光部材である。
【００２８】
露出補正ボタン３２３は、露出値（絞り値やシャッタースピード）を手動で調整するためのボタンであり、ＡＥロックボタン３２４は、露出を固定するためのボタンである。
【００２９】
交換レンズ２は、被写体からの光（光像）を取り込むレンズ窓として機能するとともに、当該被写体光をカメラボディ１０の内部に配置されている撮像素子１０１に導くための撮影光学系として機能するものである。この交換レンズ２は、上述のレンズ交換ボタン３０２を押下操作することで、カメラボディ１０から取り外すことが可能となっている。
【００３０】
交換レンズ２は、光軸ＬＴに沿って直列的に配置された複数のレンズからなるレンズ群２１を備えている(図５参照)。このレンズ群２１には、焦点の調節を行うためのフォーカスレンズ２１１(図５参照)と、変倍を行うためのズームレンズ２１２(図５参照)とが含まれており、それぞれ光軸ＬＴ(図３参照)方向に駆動されることで、変倍や焦点調節が行われる。また、交換レンズ２には、その鏡胴の外周適所に該鏡胴の外周面に沿って回転可能な操作環が備えられており、上記のズームレンズ２１２は、マニュアル操作或いはオート操作により、上記操作環の回転方向及び回転量に応じて光軸方向に移動し、その移動先の位置に応じたズーム倍率(撮影倍率)に設定されるようになっている。
【００３１】
［撮像装置１の内部構成］
次に、撮像装置１の内部構成について説明する。図３は、撮像装置１の縦断面図である。図３に示すように、カメラボディ１０の内部には、撮像素子１０１、ファインダ部１０２（ファインダ光学系）、ミラー部１０３、位相差ＡＦモジュール１０７などが備えられている。
【００３２】
撮像素子１０１は、カメラボディ１０に交換レンズ２が装着された場合の当該交換レンズ２が備えているレンズ群の光軸ＬＴ上において、光軸ＬＴに対して垂直となる方向に配置されている。撮像素子１０１としては、例えばフォトダイオードを有して構成される複数の画素がマトリクス状に２次元配置され、各画素の受光面に、それぞれ分光特性の異なる例えばＲ（赤）、Ｇ（緑）、Ｂ（青）のカラーフィルタが１：２：１の比率で配設されてなるベイヤー配列のＣＭＯＳカラーエリアセンサ（ＣＭＯＳ型の撮像素子）が用いられる。撮像素子１０１は、交換レンズ２を通って結像された被写体の光像をＲ（赤）、Ｇ（緑）、Ｂ（青）各色成分のアナログの電気信号（画像信号）に変換し、Ｒ、Ｇ、Ｂ各色の画像信号として出力する。
【００３３】
上記の光軸ＬＴ上において、被写体光をファインダ部１０２へ向けて反射される位置には、ミラー部１０３が配置されている。交換レンズ２を通過した被写体光は、ミラー部１０３（後述の主ミラー１０３１）によって上方へ反射される。交換レンズ２を通過した被写体光の一部はこのミラー部１０３を透過する。
【００３４】
ファインダ部１０２は、ペンタプリズム１０５、接眼レンズ１０６及びファインダ窓３１６を備えている。ペンタプリズム１０５は、断面５角形を呈し、その下面から入射された被写体光像を内部での反射によって当該光像の天地左右を入れ替えて正立像にするためのプリズムである。接眼レンズ１０６は、ペンタプリズム１０５により正立像にされた被写体像をファインダ窓３１６の外側に導く。このような構成により、ファインダ部１０２は、本撮影前の撮影待機時において被写体を確認するためのファインダとして機能する。
【００３５】
ミラー部１０３は、主ミラー１０３１及びサブミラー１０３２から構成されており、主ミラー１０３１の背面側において、サブミラー１０３２が主ミラー１０３１の背面に向けて倒れるように回動可能に設けられている。主ミラー１０３１を透過した被写体光の一部はサブミラー１０３２によって反射され、この反射された被写体光は位相差ＡＦモジュール１０７に入射される。
【００３６】
上記のミラー部１０３は、所謂クイックリターンミラーとして構成されており、露光時(本撮影時)には図４に示すように回転軸１０３３を回動支点として上方に向けて跳ね上がる。この際、サブミラー１０３２は、上記のミラー部１０３がペンタプリズム１０５の下方位置で停止したときには、主ミラー１０３１と略平行となるように折り畳まれた状態となる。これにより、ミラー部１０３によって遮られることなく、光軸ＬＴ上の光路に沿って交換レンズ２から導光された被写体光が、撮像素子(撮像センサ)１０１で受光される。撮像素子１０１が露光される撮像動作が終了すると、ミラー部１０３は元の位置（図３に示す位置）に復帰する。
【００３７】
また、ミラー部１０３を本撮影(画像記録用の撮影)の前に図４に示すミラーアップの状態にすることにより撮像装置１は、撮像素子１０１で順次に生成される画像信号に基づき動画的態様で被写体をＬＣＤ３１１に表示するライブビュー(プレビュー)表示が可能となっている。すなわち、本撮影前の撮像装置１では、上記のライブビュー表示が行われる電子ファインダ(ライブビューモード)、または光学ファインダを選択して被写体の構図決めが可能である。なお、電子ファインダと光学ファインダとの切替えは、図２に示す切替スイッチ８５を操作することにより行われる。
【００３８】
また、ファインダ部１０２におけるペンタプリズム１０６の下方には、焦点板（フォーカシングスクリーン）７７が配設されるとともに、ペンタプリズム１０６の上面に沿って測光センサ７８が設けられている。
【００３９】
焦点板７７では、主ミラー１０３１で反射されて上方に進路を変更した被写体光が結像される。
【００４０】
測光センサ７８は、測光素子として構成されており、焦点板７７を通ってペンタプリズム１０５内に入射された被写体光を受光し、測光を行う。
【００４１】
位相差ＡＦモジュール１０７は、被写体のピント情報を検出する測距素子等からなる所謂ＡＦセンサとして構成されている。この位相差ＡＦモジュール１０７は、ミラー部１０３の底部に配設されており、位相差検出方式の焦点検出(以下では「位相差ＡＦ」ともいう)により合焦位置を検出する。すなわち、撮影待機時においてユーザがファインダ窓３１６で被写体を確認する場合には、図３に示すように主ミラー１０３１およびサブミラー１０３２がダウンされた状態で位相差ＡＦモジュール１０７に被写体からの光が導かれる。そして、位相差ＡＦモジュール１０７からの出力に基づき交換レンズ２内のフォーカスレンズ２１１が駆動されてピント合わせが行われる。
【００４２】
撮像素子１０１の光軸方向前方には、シャッタユニット４０が配置されている。このシャッタユニット４０は、上下方向に移動する幕体を備え、その開動作および閉動作により光軸ＬＴに沿って撮像素子１０１に導かれる被写体光の光路開口動作および光路遮断動作を行うメカニカルフォーカルプレーンシャッタとして構成されている。なお、シャッタユニット４０は、撮像素子１０１が完全電子シャッター可能な撮像素子である場合には省略可能である。
【００４３】
［撮像装置１の電気的構成］
図５は、撮像装置１の電気的な構成を示すブロック図である。ここで、図１〜図４と同一の部材等については、同一の符号を付している。なお、説明の便宜上、交換レンズ２の電気的構成について先ず説明する。
【００４４】
交換レンズ２は、上述したレンズ群２１に加え、レンズ駆動機構２４と、レンズ位置検出部２５と、レンズ制御部２６と、絞り駆動機構２７とを備えている。
【００４５】
レンズ群２１では、フォーカスレンズ２１１及びズームレンズ２１２と、カメラボディ１０に備えられた撮像素子１０１へ入射される光量を調節するための絞り２３とが、鏡胴２２内において光軸ＬＴ(図３)方向に保持されており、被写体の光像を取り込んで撮像素子１０１に結像させる。ＡＦ制御では、フォーカスレンズ２１１が交換レンズ２内のＡＦアクチュエータ７１Ｍにより光軸ＬＴ方向に駆動されることで焦点調節が行われる。
【００４６】
フォーカス駆動制御部７１Ａは、レンズ制御部２６を介してメイン制御部６２から与えられるＡＦ制御信号に基づき、フォーカスレンズ２１１を合焦位置に移動させるために必要な、ＡＦアクチュエータ７１Ｍに対する駆動制御信号を生成するものである。ＡＦアクチュエータ７１Ｍは、ステッピングモータ等からなり、レンズ駆動機構２４にレンズ駆動力を与える。
【００４７】
レンズ駆動機構２４は、例えばヘリコイド及び該ヘリコイドを回転させる図示省略のギア等で構成され、ＡＦアクチュエータ７１Ｍからの駆動力を受けて、フォーカスレンズ２１１等を光軸ＬＴと平行な方向に駆動させるものである。なお、フォーカスレンズ２１１の移動方向及び移動量は、それぞれＡＦアクチュエータ７１Ｍの回転方向及び回転数に従う。
【００４８】
レンズ位置検出部２５は、レンズ群２１の移動範囲内において光軸ＬＴ方向に複数個のコードパターンが所定ピッチで形成されたエンコード板と、このエンコード板に摺接しながらレンズと一体的に移動するエンコーダブラシとを備えており、レンズ群２１の焦点調節時の移動量を検出する。なお、レンズ位置検出部２５で検出されたレンズ位置は、例えばパルス数として出力される。
【００４９】
レンズ制御部２６は、例えば制御プログラムを記憶するＲＯＭや状態情報に関するデータを記憶するフラッシュメモリ等のメモリが内蔵されたマイクロコンピュータからなっている。
【００５０】
また、レンズ制御部２６は、コネクタＥｃを介してカメラボディ１０のメイン制御部６２との間で通信を行う通信機能を有している。これにより、例えばレンズ群２１の焦点距離、射出瞳位置、絞り値、合焦距離及び周辺光量状態等の状態情報データや、レンズ位置検出部２５で検出されるフォーカスレンズ２１１の位置情報をメイン制御部６２に送信できるとともに、メイン制御部６２から例えばフォーカスレンズ２１１の駆動量のデータを受信できる。
【００５１】
絞り駆動機構２７は、カプラ７５を介して絞り駆動アクチュエータ７６Ｍからの駆動力を受けて、絞り２３の絞り径を変更するものである。
【００５２】
続いて、カメラボディ１０の電気的構成について説明する。カメラボディ１０は、先に説明した撮像素子１０１、シャッタユニット４０等の他に、ＡＦＥ（アナログフロントエンド）５および画像処理部６１、画像メモリ６１４、メイン制御部６２、フラッシュ回路６３、操作部６４、ＶＲＡＭ６５、カードＩ／Ｆ６６、メモリカード６７を備えて構成される。また、カメラボディ１０は、通信用Ｉ／Ｆ６８、電源回路６９、電池６９Ｂ、ミラー駆動制御部７２Ａ及びミラー駆動アクチュエータ７２Ｍ、シャッタ駆動制御部７３Ａ及びシャッタ駆動アクチュエータ７３Ｍ、絞り駆動制御部７６Ａ及び絞り駆動アクチュエータ７６Ｍを備えて構成されている。
【００５３】
撮像素子１０１は、先に説明した通りＣＭＯＳカラーエリアセンサからなり、後述のタイミング制御回路５１により、当該撮像素子１０１の露光動作の開始（及び終了）や、撮像素子１０１が備える各画素の出力選択、画素信号の読出し等の撮像動作が制御される。
【００５４】
ＡＦＥ５は、撮像素子１０１に対して所定の動作を行わせるタイミングパルスを与えるとともに、撮像素子１０１から出力される被写体の画像信号に所定の信号処理を施し、デジタル信号に変換して画像処理部６１に出力するものである。このＡＦＥ５は、タイミング制御回路５１、信号処理部５２及びＡ／Ｄ変換部５３などを備えて構成されている。
【００５５】
タイミング制御回路５１は、メイン制御部６２から出力される基準クロックに基づいて所定のタイミングパルス（垂直走査パルスφＶｎ、水平走査パルスφＶｍ、リセット信号φＶｒ等を発生させるパルス）を生成して撮像素子１０１に出力し、撮像素子１０１の撮像動作を制御する。また、所定のタイミングパルスを信号処理部５２やＡ／Ｄ変換部５３にそれぞれ出力することにより、信号処理部５２及びＡ／Ｄ変換部５３の動作を制御する。
【００５６】
信号処理部５２は、撮像素子１０１から出力されるアナログの画像信号に所定のアナログ信号処理を施すもので、ＣＤＳ（相関二重サンプリング）回路、ＡＧＣ（オートゲインコントロール）回路及びクランプ回路等が設けられている。このＡＧＣ回路では、撮像素子１０１で生成された画像信号を増幅率(ゲイン)可変に増幅することができる。また、Ａ／Ｄ変換部５３は、信号処理部５２から出力されたアナログのＲ、Ｇ、Ｂの画像信号を、タイミング制御回路５１から出力されるタイミングパルスに基づいて、複数のビット（例えば１２ビット）からなるデジタルの画像信号に変換するものである。
【００５７】
画像処理部６１は、ＡＦＥ５から出力される画像データに所定の信号処理を行って画像ファイルを作成するもので、黒レベル補正回路６１１、ホワイトバランス補正回路６１２及びガンマ補正回路６１３等を備えて構成されている。なお、画像処理部６１へ取り込まれた画像データは、撮像素子１０１の読み出しに同期して画像メモリ６１４に一旦書き込まれ、以後この画像メモリ６１４に書き込まれた画像データにアクセスして、画像処理部６１の各ブロックにおいて処理が行われる。
【００５８】
黒レベル補正回路６１１は、Ａ／Ｄ変換部５３によりＡ／Ｄ変換されたＲ、Ｇ、Ｂの各デジタル画像信号の黒レベルを、基準の黒レベルに補正するものである。
【００５９】
ホワイトバランス補正回路６１２は、光源に応じた白の基準に基づいて、Ｒ(赤)、Ｇ(緑)、Ｂ(青)の各色成分のデジタル信号のレベル変換（ホワイトバランス(ＷＢ)調整）を行うものである。すなわちホワイトバランス制御回路６１２は、メイン制御部６２から与えられるＷＢ調整データに基づき、撮影被写体において輝度や彩度データ等から本来白色であると推定される部分を特定し、その部分のＲ、Ｇ、Ｂそれぞれの色成分の平均と、Ｇ／Ｒ比及びＧ／Ｂ比とを求め、これをＲ、Ｂの補正ゲインとしてレベル補正する。
【００６０】
ガンマ補正回路６１３は、ＷＢ調整された画像データの階調特性を補正するものである。具体的にはガンマ補正回路６１３は、画像データのレベルを色成分毎に予め設定されたガンマ補正用テーブルを用いて非線形変換するとともにオフセット調整を行う。
【００６１】
画像メモリ６１４は、撮影モード時には、画像処理部６１から出力される画像データを一時的に記憶するとともに、この画像データに対しメイン制御部６２により所定の処理を行うための作業領域として用いられるメモリである。また、再生モード時には、メモリカード６７から読み出した画像データを一時的に記憶する。
【００６２】
メイン制御部６２は、コンピュータとして働くＣＰＵ６２ａと、制御プログラム等を記憶するフラッシュＲＯＭ６２ｂと、一時的にデータを記憶するＲＡＭ(不図示)とを備えて構成され、撮像装置１各部の動作を制御するものである。そして、フラッシュＲＯＭ６２ｂには、ＣＰＵ６２ａで実行されることにより後述のフォーマット制御を行うフォーマット制御プログラムＰＧが格納されている。なお、メモリカード６７に記録されているフォーマット制御プログラムＰＧなどのプログラムデータを、フラッシュＲＯＭ６２ｂにインストールすることで、そのプログラムを撮像装置１の動作に反映することが可能である。
【００６３】
また、メイン制御部６２は、図６に示すように上記のフォーマット制御プログラムがＣＰＵ６２ａで実行されることでソフトウェア的に実現されるフォーマット指示検知部６２１と、物理フォーマット処理部６２２と、論理フォーマット処理部６２３と、フォーマット開始制御部６２４と、フォーマット処理制御部６２５とを備えている。
【００６４】
フォーマット指示検知部６２１は、メモリカード６７に対するユーザからのフォーマット（データ消去）の指示を検知する部位である。
【００６５】
物理フォーマット処理部６２２は、メモリカード６７に対するフォーマット処理として、後述する物理フォーマットの処理(第１データ消去処理)を行う部位である。
【００６６】
論理フォーマット処理部６２３は、メモリカード６７に対するフォーマット処理として、後述する論理フォーマットの処理(第２データ消去処理)を行う部位である。
【００６７】
フォーマット開始制御部６２４は、フォーマット指示検知部６２１によってフォーマットの指示が検知された場合に、物理フォーマット処理部６２２による物理フォーマット（後述）の処理を開始させる制御を行う部位である。
【００６８】
フォーマット処理制御部６２５は、フォーマット開始制御部６２４によって開始された物理フォーマットが完了する前に、フォーマット指示検知部６２１でフォーマット指示が検知されてからの経過時間が所定時間(例えば６０秒)を超えた場合に、物理フォーマットを中止して論理フォーマットを実行させる制御を行う部位である(後で詳述)。
【００６９】
フラッシュ回路６３は、フラッシュ撮影モードにおいて、フラッシュ部３１８または接続端子部３１９に接続される外部フラッシュの発光量を、メイン制御部６２により設定された発光量に制御するものである。
【００７０】
操作部６４は、上述のモード設定ダイアル３０５、制御値設定ダイアル３０６、シャッターボタン３０７、設定ボタン群３１２、十字キー３１４、プッシュボタン３１５、メインスイッチ３１７等の操作部材を備え、各操作部材に対するユーザの操作入力を検知して、その操作内容をメイン制御部６２に入力するものである。
【００７１】
ＶＲＡＭ６５は、ＬＣＤ３１１の画素数に対応した画像信号の記憶容量を有し、メイン制御部６２とＬＣＤ３１１との間のバッファメモリである。カードＩ／Ｆ６６は、メモリカード６７とメイン制御部６２との間で信号の送受信を可能とするためのインターフェースである。メモリカード６７は、メイン制御部６２で生成された画像データを保存する記憶媒体である。通信用Ｉ／Ｆ６８は、パーソナルコンピュータやその他の外部機器に対する画像データ等の伝送を可能とするためのインターフェースである。
【００７２】
電源回路６９は、例えば定電圧回路等からなり、メイン制御部６２等の制御部、撮像素子１０１、その他の各種駆動部等、撮像装置１全体を駆動させるための電圧を生成する。なお、撮像素子１０１への通電制御は、メイン制御部６２から電源回路６９に与えられる制御信号により行われる。電池６９Ｂは、ニッケル水素充電池等の二次電池や、アルカリ乾電池等の一次電池からなり、撮像装置１全体に電力を供給する電源である。
【００７３】
ミラー駆動制御部７２Ａは、撮影動作のタイミングに合わせて、ミラー駆動アクチュエータ７２Ｍを駆動させる駆動信号を生成するものである。ミラー駆動アクチュエータ７２Ｍは、ミラー部１０３（クイックリターンミラー）を、水平姿勢若しくは傾斜姿勢に回動させるアクチュエータである。
【００７４】
シャッタ駆動制御部７３Ａは、メイン制御部６２から与えられる制御信号に基づき、シャッタ駆動アクチュエータ７３Ｍに対する駆動制御信号を生成するものである。シャッタ駆動アクチュエータ７３Ｍは、シャッタユニット４０の開閉駆動(開閉動作)を行うアクチュエータである。
【００７５】
絞り駆動制御部７６Ａは、メイン制御部６２から与えられる制御信号に基づき、絞り駆動アクチュエータ７６Ｍに対する駆動制御信号を生成するものである。絞り駆動アクチュエータ７６Ｍは、カプラ７５を介して絞り駆動機構２７に駆動力を与える。
【００７６】
以上のような構成を備えた撮像装置１におけるメモリード６７のフォーマットについて、以下で詳しく説明する。
【００７７】
［メモリカード６７のフォーマット］
図７は、メモリカード６７についてのファイルシステム構成を説明するための図である。
【００７８】
メモリカード６７は、可搬性のある外部記憶媒体であり、ファイルシステムの管理領域Ｅｍ(破線部内)とデータ領域(実データ領域)Ｅｄとに分けられたメモリ領域６７ｍを有している。この管理領域Ｅｍは、ブートセクタＥｍａ、ＦＡＴ(File Allocation Table)ＥｍｂおよびルートディレクトリＥｍｃを含んで構成され、データ領域Ｅｄ内のデータに関しての管理情報を記憶する。
【００７９】
このようなファイルシステム構成を備えてグリップ部３０３のカード収容室に装着されるメモリカード６７に対して撮像装置１で実行可能なフォーマット処理について、以下で詳しく説明する。
【００８０】
撮像装置１では、装着されたメモリカード６７に対して２種類のフォーマット、具体的には次の(１)論理フォーマットおよび(２)物理フォーマットを実行することが可能である。
【００８１】
(１)論理フォーマット
論理フォーマットは、管理領域Ｅｍにおける管理情報の書換え処理のみを行うフォーマット形態で、メモリカード６７のデバイス情報からブートセクタＥｍａを再構成し、その書き込みを行った後に、ＦＡＴＥｍｂおよびルートディレクトリＥｍｃの領域を「０」でクリアして、メモリカード６７のメモリ領域６７ｍを見かけ上全て未使用の状態にする。すなわち、論理フォーマットによれば、ファイルシステムの管理領域Ｅｍのみが書き換えられるだけであり、書き換えが行われないデータ領域Ｅｄ内のデータは以前の状態のまま残存することとなる。なお、論理フォーマットの処理は、メイン制御部６２の論理フォーマット処理部６２３によって実行される。
【００８２】
(２)物理フォーマット
物理フォーマットは、ファイルシステムの管理領域Ｅｍに対して上記の論理フォーマットと同様の書換え処理を行うとともに、データ領域Ｅｄ全域のデータをクリアする処理（データ消去処理）を実行するフォーマット形態である。このようにデータ領域Ｅｄのデータ消去処理を伴う物理フォーマットは、論理フォーマットに比べて、フォーマット処理に必要な時間が長くなるものの、フォーマット完了後にはデータ領域Ｅｄにデータを書き込む速度の向上が図れる。なお、物理フォーマットの処理は、メイン制御部６２の物理フォーマット処理部６２２によって実行される。
【００８３】
以上のようにデータ領域Ｅｄにおける全領域の実際のデータ(実データ)を消去する実データ消去処理および、データ領域Ｅｄ全域のデータの消去に関する管理領域Ｅｍ内の管理情報の書換え処理を行う物理フォーマットの処理(第１データ消去処理)と、データ領域Ｅｄ内での実データ消去処理を行わずに管理領域Ｅｍ内の管理情報の書換え処理のみを行う論理フォーマットの処理(第２データ消去処理)との２種類のフォーマット処理を実行できる撮像装置１の具体的な動作について、以下で詳しく説明する。
【００８４】
［撮像装置１の動作］
図８は、撮像装置１の基本的な動作を示すフローチャートである。この動作は、特に撮像装置１に装着されたメモリカード６７に対してのフォーマット制御に関する動作を示しており、フォーマット制御プログラムＰＧがメイン制御部６２のＣＰＵ６２ａで実行されることで実施される。
【００８５】
ステップＳＴ１では、メモリカード６７に対するフォーマット指示があったかをフォーマット指示検知部６２１で判定する。具体的には、ユーザによって、ＬＣＤ３１１に表示されるフォーマット選択画面Ｇａ(図９)において「フォーマット」が選択されるとともに、その次に表示されるフォーマット実行確認画面Ｇｂ(図１０)で「はい」が選択されたか否かを判断する。ここで、フォーマット指示があった場合には、ステップＳＴ２に進み、フォーマット指示がない場合には、本フローチャートを終了する。
【００８６】
ステップＳＴ２では、フォーマット開始制御部６２４により上述した物理フォーマットの処理を開始する。具体的には、ユーザによるフォーマット指示に応答し、２種類のフォーマット形態のうち先ず物理フォーマットを実行して、メモリカード６７におけるデータ領域Ｅｄ内のデータ消去を開始する。この物理フォーマットによるメモリカード６７のフォーマット処理が開始されると、図１１に示すフォーマット処理中画面Ｇｃのようにフォーマット実行中である旨の表示および、フォーマット処理が完了するまでの残り時間に関する情報表示をＬＣＤ３１１で行わせ、ユーザがフォーマット処理の進行状況を把握できるようにする。
【００８７】
ステップＳＴ３では、ステップＳＴ２で物理フォーマットを開始してからの経過時間が、予め定められた物理フォーマットの制限時間(打切り時間)Ｔｍ(例えば６０秒)を超えたかを判定する。
【００８８】
このように物理フォーマットの処理に制限時間Ｔｍを設けることによれば、長時間化が懸念される物理フォーマットの処理をユーザに違和感を与えない範囲で打ち切って、後述するステップＳＴ７の論理フォーマットの処理に移行させることが可能となる。そして、図１１に示すフォーマット処理中画面Ｇｃにおいて、上記の制限時間Ｔｍに、後述するステップＳＴ７での論理フォーマットに必要な時間(数秒から数十秒程度)を加えた合計時間から、物理フォーマット開始時点(ステップＳＴ２)からの経過時間を減算して得られる時間をフォーマット処理の残り時間として表示させるようにする。これにより、制限時間Ｔｍの経過によって後述のステップＳＴ６で物理フォーマットがキャンセルされた直後には、論理フォーマットの処理時間がフォーマット処理の残り時間として表示されるため、ユーザに違和感を与えることなくスムーズに物理フォーマットから論理フォーマットへの移行を行えることとなる。
【００８９】
上記のステップＳＴ３において、物理フォーマット開始からの経過時間が制限時間Ｔｍを超えた場合には、ステップＳＴ６に進み、制限時間Ｔｍに至っていない場合には、ステップＳＴ４に進む。
【００９０】
ステップＳＴ４では、ユーザによる特定の操作があったかを判定する。この特定の操作としては、例えばシャッターボタン３０７に対する押下操作や、メインスイッチ３１７に対する電源オフの操作が該当する。
【００９１】
このステップＳＴ４により、フォーマット開始制御部６２４によって開始された物理フォーマットの処理が完了する前に、シャッターボタン３０７の押下操作などの特定の操作入力が操作部６４にて検知された場合には、後述のステップＳＴ６〜７のように物理フォーマットの処理を中止して論理フォーマットの処理を実行させることが可能となる。これにより、シャッターチャンスが到来して直ちに行いたい撮影動作などの緊急処理に適切に対応できることとなる。
【００９２】
上記のステップＳＴ４において特定の操作があった場合には、ステップＳＴ６に進み、特定の操作がない場合には、ステップＳＴ５に進む。
【００９３】
ステップＳＴ５では、ステップＳＴ２で開始した物理フォーマットの処理が完了したかを判定する。すなわち、メモリカード６７におけるデータ領域Ｅｄ全てのデータ消去と、その管理領域Ｅｍの書き換えが終了したか否かを判断する。ここで、物理フォーマットが完了した場合には、本フローチャートを終了し、物理フォーマットが完了していない場合には、ステップＳＴ３に戻る。
【００９４】
ステップＳＴ６では、物理フォーマットをキャンセルする。すなわち、ステップＳＴ２で開始した物理フォーマットの処理を途中で中止する。なお、物理フォーマットをキャンセルした時点までにデータ消去がなされたデータ領域Ｅｄの部分(領域)については、以後に新たなデータを記憶させる際の書き込み速度が向上することとなる。
【００９５】
ステップＳＴ７では、上述した論理フォーマットの処理を実行する。具体的には、メモリカード６７の管理領域Ｅｍに対してフォーマットに関する書き換えを行う。
【００９６】
なお、ステップＳＴ４で特定の操作としてシャッターボタン３０７の押下操作があった場合には、上記のステップＳＴ７において、撮像素子１０１による撮影動作を行った後に、論理フォーマットの処理を実行し、そのフォーマットされたメモリカード６７に上記の撮影画像を記録するようにする。このような一連の動作により、物理フォーマットの完了を待たずに撮影動作を行えるため、フォーマット処理中においてもシャッターチャンスを逃がすのを防止できる。
【００９７】
以上のような動作を行う撮像装置１では、ユーザによるフォーマット指示に応答してメモリカード６７に対する物理フォーマットの処理を開始する一方(ステップＳＴ２)、その物理フォーマットの処理が完了する前に、フォーマット指示が検知されてからの経過時間が制限時間(所定時間)Ｔｍを超えた場合には、物理フォーマットの処理を中止して論理フォーマットの処理を実行させる（ステップＳＴ６〜７）。これにより、ユーザが論理フォーマットと物理フォーマットとの違いや特徴について理解しなくても適切なフォーマット処理の指示を行えるとともに、ユーザに違和感を与えない制限時間Ｔｍの範囲内ではあるがメモリカード６７に対しての新たなデータの書込み速度の向上が図れる物理フォーマットを実行できる。その結果、メモリカード６７に対する効果的なフォーマット(データ消去)を簡易に行えることとなる。
【００９８】
すなわち、撮像装置１においては、ユーザによるフォーマット指示に応答して、まず物理フォーマットを実行し、制限時間Ｔｍなどのトリガー条件（図８のステップＳＴ３〜４）に該当すれば論理フォーマットに切り替えてフォーマット処理を適正に終了させるため、２種類のフォーマット形態それぞれの特性を活かしたフォーマット処理を行える。換言すれば、図９のようにＬＣＤ３１１に表示されるフォーマット選択画面Ｇａにおいて「フォーマット」をユーザが選択するだけで、論理フォーマットや物理フォーマットというフォーマット形態の別をユーザが意識せずとも最適なフォーマット処理を自動的に実行できる。
【００９９】
＜変形例＞
上記の実施形態における物理フォーマットの制限時間Ｔｍについては、例えば６０秒などの固定値に設定するのは必須でなく、例えば図１２〜１３に示す各表のように撮像装置１に電力供給を行う電池６９Ｂの残量やメモリカード６７の容量が大きくなれば増加するように変化させても良い。ここで、図１２のようにバッテリー残量に応じて物理フォーマットの制限時間Ｔｍを設定すれば、バッテリー切れによるフォーマット途中の強制終了を防止できる。また、図１３のようにメモリカード６７の容量に応じて物理フォーマットの制限時間Ｔｍを設定すれば、メモリカード６７の容量に応じた処理時間を想定しているユーザに対して違和感を与えないフォーマット処理を行える。
【０１００】
上記の実施形態におけるフォーマット処理の残り時間表示(図１１参照)については、残り時間として、論理フォーマットに必要な時間が加味された上述の制限時間Ｔｍから、フォーマット開始時点からの経過時間を減算して得られる時間を表示させるようにしても良い。このような残り時間表示により、制限時間Ｔｍの経過によって図８に示すステップＳＴ６で物理フォーマットがキャンセルされても、論理フォーマット分の処理時間を考慮したフォーマット処理の残り時間がフォーマット処理中画面Ｇｃで表示されるため、ユーザに違和感を与えることなくスムーズに物理フォーマットから論理フォーマットへの移行を行える。
【０１０１】
上記の実施形態におけるメモリカードのデータ領域内のデータ消去については、物理フォーマットによってデータ領域内の全データを消去するのは必須でなく、データ領域における一部の領域内のデータ(例えば特定の画像データ)を消去するようにしても良い。また、フォーマットなどによるデータ消去の対象は、可搬性のあるメモリカードに限らず、電子機器に内蔵されるハードディスクなどの磁気ディスクや半導体メモリなどの記憶媒体でも良い。
【０１０２】
本発明については、上述した撮像装置に限らず、ＰＤＡ（Personal Digital Assistants）やモバイルパソコン等を含む電子機器に適用することが可能である。
【０１０３】
本発明は詳細に説明されたが、以上の説明は、すべての局面において、例示であって、この発明がそれに限定されるものではない。例示されていない無数の変形例が、この発明の範囲から外れることなく想定され得るものと解される。
【符号の説明】
【０１０４】
１  撮像装置
２  交換レンズ
１０  カメラボディ
６２  メイン制御部
６２ａ  ＣＰＵ
６２ｂ  フラッシュＲＯＭ
６７  メモリカード
１０１  撮像素子
３０７  シャッターボタン
３１７  メインスイッチ
６２１  フォーマット指示検知部
６２２  物理フォーマット処理部
６２３  論理フォーマット処理部
６２４  フォーマット開始制御部
６２５  フォーマット処理制御部
Ｅｄ  データ領域
Ｅｍ  ファイルシステム管理領域
Ｇａ  フォーマット選択画面
Ｇｃ  フォーマット処理中画面
ＰＧ  フォーマット制御プログラム
【図１】
2011086228.tif 000003
【図２】
2011086228.tif 000004
【図３】
2011086228.tif 000005
【図４】
2011086228.tif 000006
【図５】
2011086228.tif 000007
【図６】
2011086228.tif 000008
【図７】
2011086228.tif 000009
【図８】
2011086228.tif 000010
【図９】
2011086228.tif 000011
【図１０】
2011086228.tif 000012
【図１１】
2011086228.tif 000013
【図１２】
2011086228.tif 000014
【図１３】
2011086228.tif 000015